(57)【要約】【課題】板材間のシールを確実にしながら箱の組み立てを容易にできる箱の組み立て構造を提供する。【解決手段】目地部材Ａを直交するように配置した２つの板材１，２間に配置し、この目地部材Ａの第１弾接シール片５と縦片３と係止片７とで囲まれた嵌合溝８を一方の板材１の端部に嵌合し、他方の板材２の内面を縦片３を介して一方の板材１の端面に当接して一方の板材１と他方の板材２とを締結し、第１弾接シール片５を一方の板材１の内面に弾接すると共に第２弾接シール片６を他方の板材２の内面に弾接した箱の組み立て構造である。これにおいて、第１弾接シール片５と一方の板材１の内面との間に隙間Ｓを設けた状態で嵌合溝８を一方の板材１の端部に嵌合しておき、第２弾接シール片６の基部から外面側に突設させた突部９を他方の板材２の内面に当接させた状態で第１弾接シール片５を一方の板材１の内面に弾接させるようにする。【選択図】　　　　図１
2004081520.tif 000002
【特許請求の範囲】
【請求項１】
縦片と縦片に対して交差する横片とで断面略イ字状に形成されて横片の両側に第１弾接シール片と第２弾接シール片とが設けられる共に縦片の横片と反対側から第１弾接シール片と略平行になるように係止片が突設された目地部材を直交するように配置した２つの板材間に配置し、この目地部材の第１弾接シール片と縦片と係止片とで囲まれた嵌合溝を一方の板材の端部に嵌合し、他方の板材の内面を縦片を介して一方の板材の端面に当接して一方の板材と他方の板材とを締結し、第１弾接シール片を一方の板材の内面に弾接すると共に第２弾接シール片を他方の板材の内面に弾接した箱の組み立て構造において、第１弾接シール片と一方の板材の内面との間に隙間を設けた状態で嵌合溝を一方の板材の端部に嵌合しておき、第２弾接シール片の基部から外面側に突設させた突部を他方の板材の内面に当接させた状態で縦片を変形させて第１弾接シール片を一方の板材の内面に弾接させるようにしたことを特徴とする箱の組み立て構造。
【請求項２】
一方の板材が側板で他方の板材が背板であることを特徴とする請求項１記載の箱の組み立て構造。
【発明の詳細な説明】
【０００１】
【発明の属する技術分野】
本発明は、側板のような板材と背板のような板材とを直交するように連結してキャビネットのような箱を組み立てる構造に関し、詳しくは連結する板材の間を目地部材にてシールする構造に関するものである。
【０００２】
【従来の技術】
従来から箱は図２に示すように一方の板材１である側板１ａと他方の板材２である背板２ａとを直交するように連結して組み立てているが、これらの間をシールする場合、これらの間に目地部材Ａを介装している。従来の目地部材Ａは縦片３と縦片３に対して交差する横片４とで断面略イ字状に形成されており、横片４の両側には第１弾接シール片５と第２弾接シール片６が設けられており、縦片３の横片４と反対側に第１弾接シール片５と略平行になるように係止片７を突設されており、第１弾接シール片５と縦片３と係止片７とで囲まれる部分に嵌合溝８が設けられている。
【０００３】
そして側板１ａと背板２ａとを連結する場合、図２（ａ）に示すように側板１ａの端部に目地部材Ａの嵌合溝８を嵌合して第１弾接シール片５を側板１ａの内面に弾接させ、図２（ｂ）に示すように目地部材Ａの縦片３を介して側板１ａの端面に側板１ａと直交する背板２ａの内面を当接し、第２弾接シール片６を背板２ａの内面に弾接させ、背板２ａから側板１ａにビス等の固着具１０を打入して連結している。
【０００４】
【発明が解決しようとする課題】
上記従来例では側板１ａの端部に目地部材Ａの嵌合溝８を嵌合して第１弾接シール片５を側板１ａの内面に弾接させているため、嵌合溝８の幅を側板１ａの厚さと同じか以下にしなければ第１弾接シール片５を側板１ａの内面に弾接させることができず、嵌合溝８を側板１ａの端部に嵌合するのがしにくくて作業に手間取るというおそれがあり、箱の組み立ての弊害となっていた。殊に第１弾接シール片５を側板１ａの内面に強く弾接させようとすると、一層嵌合溝８を側板１ａの端部に嵌合するのがしにくいという問題がある。
【０００５】
本発明は上記の点に鑑みてなされたものであり、板材間のシールを確実にしながら箱の組み立てを容易にできる箱の組み立て構造を提供することを課題とするものである。
【０００６】
【課題を解決するための手段】
上記課題を解決するための本発明の箱の組み立て構造は、縦片３と縦片３に対して交差する横片４とで断面略イ字状に形成されて横片４の両側に第１弾接シール片５と第２弾接シール片６とが設けられる共に縦片３の横片４と反対側から第１弾接シール片５と略平行になるように係止片７が突設された目地部材Ａを直交するように配置した２つの板材１，２間に配置し、この目地部材Ａの第１弾接シール片５と縦片３と係止片７とで囲まれた嵌合溝８を一方の板材１の端部に嵌合し、他方の板材２の内面を縦片３を介して一方の板材１の端面に当接して一方の板材１と他方の板材２とを締結し、第１弾接シール片５を一方の板材１の内面に弾接すると共に第２弾接シール片６を他方の板材２の内面に弾接した箱の組み立て構造において、第１弾接シール片５と一方の板材１の内面との間に隙間Ｓを設けた状態で嵌合溝８を一方の板材１の端部に嵌合しておき、第２弾接シール片６の基部から外面側に突設させた突部９を他方の板材２の内面に当接させた状態で縦片３を変形させて第１弾接シール片５を一方の板材１の内面に弾接させるようにしたことを特徴とする。このようにすると、一方の板材１の厚さより幅の広い嵌合溝８を一方の板材１の端部に嵌合しても、他方の板材２を縦片３を介して一方の板材１に当接して締結したとき、第２弾接シール片６が他方の板材２の内面に弾接すると共に突部９が他方の板材２で押されて縦片３が変形して第１弾接シール片５が一方の板材１の内面に弾接される。これにより、一方の板材１の端部に目地部材Ａを容易に嵌合できて組み立て作業に手間取ることがないと共に第１弾接シール片５や第２弾接シール片６を強く弾接させて確実にシールできる。
【０００７】
また一方の板材１が側板１ａで他方の板材２が背板２ａであることを特徴とすることも好ましい。
【０００８】
【発明の実施の形態】
本発明の実施の形態の例では一方の板材１が側板１ａで他方の板材２が背板２ａであり、側板１ａと背板２ａとを連結して箱を組み立てるものについて述べる。これらを連結するとき用いる目地部材Ａはゴムや合成樹脂等の弾性のある材料にて次のように構成されている。
【０００９】
目地部材Ａの主体は縦片３と縦片３に交差する横片４とで断面略イ字状に形成されている。この横片４の両側が夫々先端程厚さが薄くなる第１弾接シール片５及び第２弾接シール片６となっている。縦片３の横片４と反対側の端部から第１弾接シール片５と平行になるように係止片７を突設してあり、第１弾接シール片５と縦片３と係止片７とで囲まれるように嵌合溝８を形成してある。この嵌合溝８の幅は一方の板材１である側板１ａの厚さより広くなっている。第２弾接片６の縦片３近傍の付け根部分から外面側に向けて突部９を突設してある。この突部９は第１弾接シール片５が突出する方向と相反する方向に突出するように設けてあり、突部９の突出する長さは第２弾接シール片６が突出する長さよりやや短い。
【００１０】
このような目地部材Ａを介して側板１ａと背板２ａとを連結する場合、次のように行う。側板１ａの端部に目地部材Ａを配置して図１（ａ）のように目地部材の嵌合溝８を側板１ａの端部に嵌合する。このとき、係止片７を側板１ａの外面に当接して第１弾接シール片５と側板１ａの内面との間に隙間Ｓを明ける。この状態で図１（ｂ）に示すように側板１ａに対して直交するように配置した背板２ａを縦片３を介して側板１ａの端面に当接し、背板２ａの外面から側板１ａに至るまでビスのような固着具１０を打入して側板１ａと背板２ａを連結する。側板１ａに背板２ａを連結した状態で第２弾接シール片６が背板２ａの内面に弾接され、またこの状態で背板２ａの内面にて突部９が押されて縦片３の横片４側が変形して第１弾接シール片５が側板１ａの内面に弾接される。これにより第１弾接シール片５と第２弾接シール片６とが弾接して目地部のシールがされる。このように側板１ａと背板２ａとを目地部材Ａを介して連結すると、連結作業が容易にできながら目地部材Ａにて確実にシールできる。
【００１１】
なお、上記の例では一方の板材１としての側板１ａと他方の板材２としての背板２ａとを連結するものについて述べたが、側板と天板との連結、側板と底板の連結、背板と天板との連結、背板と底板との連結等の場合も同様に実施することができる。
【００１２】
【発明の効果】
本発明は叙述の如く第１弾接シール片と一方の板材の内面との間に隙間を設けた状態で嵌合溝を一方の板材の端部に嵌合しておき、第２弾接シール片の基部から外面側に突設させた突部を他方の板材の内面に当接させた状態で縦片を変形させて第１弾接シール片を一方の板材の内面に弾接させるようにしたので、一方の板材の厚さより幅の広い嵌合溝を一方の板材の端部に嵌合しても、他方の板材を縦片を介して一方の板材に当接して締結したとき、第２弾接シール片が他方の板材の内面に弾接すると共に突部が他方の板材で押されて縦片が変形して第１弾接シール片が一方の板材の内面に弾接されるものであって、一方の板材の端部に目地部材を容易に嵌合できて組み立て作業に手間取ることがないと共に第１弾接シール片や第２弾接シール片を強く弾接させて確実にシールできるものである。
【図面の簡単な説明】
【図１】本発明の実施の形態の一例の断面図であって、（ａ）は側板に目地部材を嵌合した状態、（ｂ）は側板と背板とを連結した状態を示す。
【図２】従来例を示す断面図であって、（ａ）は側板に目地部材を嵌合した状態、（ｂ）は側板と背板とを連結した状態を示す。
【符号の説明】
Ａ　目地部材
１　一方の板材
２　他方の板材
３　縦片
４　横片
５　第１弾接シール片
６　第２弾接シール片
７　係止片
８　嵌合溝
９　突部
【図１】
2004081520.tif 000003
【図２】
2004081520.tif 000004